(57)【要約】【課題】オートクレーブ滅菌の際に、リモートスイッチのスイッチ手段の劣化を防止する。【解決手段】リモートスイッチ３５は、フォトインタラプタ４９と、移動部材５０と、操作部６１と、固定部材６２と、操作部用磁石６３と、移動部材用磁石６４と、付勢手段６５と、フォトインタラプタ用ハーネス６６とから構成されている。リモートスイッチ３５は、操作部６１を押圧すると、操作部用磁石６３と移動部材用磁石６４が近づき、操作部用磁石６３と移動部材用磁石６４の磁気的連結力により、付勢手段６５の弾性力に抗して移動部材５０が紙面右側に移動し始める。そして、最終的にはフォトインタラプタ４９の発光部と受光部の間に移動部材５０が入り込み、遮光される。これにより、フォトインタラプタ４９は、発光部と受光部の間が遮光されたことを示す信号を出力する。【選択図】  図２
2004255083.tif 000002
【特許請求の範囲】
【請求項１】
所定の機能動作を指示可能なスイッチ手段と、
前記スイッチ手段を気密に収納可能な気密ユニットと、
前記気密ユニットの内部に設けられ、前記スイッチ手段を操作する位置と操作しない位置との間で移動自在な移動部材と、
前記移動部材を前記操作しない位置に直接または間接的に付勢する付勢手段と、
前記気密ユニットの外部に設けられ、操作者が操作可能な操作部材と、
前記操作部材に応じて、前記付勢手段に抗して前記移動部材を前記操作する位置に移動するための磁力を前記気密ユニットの外部から内部へ伝達可能な磁力伝達手段と、
を具備したことを特徴とする医療機器用操作機構。
【発明の詳細な説明】
【０００１】
【発明の属する技術分野】
本発明は医療機器をスイッチ手段により操作するための医療機器用操作機構に係り、特にオートクレーブ滅菌を行う医療機器に好適な医療機器用操作機構に関する。
【０００２】
【従来の技術】
近年、内視鏡用撮像装置の滅菌方法として、高温高圧水蒸気によるオートクレーブ滅菌が普及しつつある。
【０００３】
ところで、細長の挿入部を体腔内に挿入し、体腔内の観察／処置が可能な電子内視鏡や、内視鏡の接眼部に着脱自在に取り付けて内視鏡像を撮影する内視鏡撮像装置には、内視鏡像の明るさ調整やフリーズ、内視鏡の焦点調整などの機能を有したリモートスイッチが設けられていることが一般的である。
【０００４】
このリモートスイッチを有し、オートクレーブ滅菌可能な内視鏡の一例として、オートクレーブ滅菌しても蒸気が侵入しない気密ユニット内の光学レンズを、気密ユニット外にあるリモートスイッチを操作することで移動し、焦点調整をするものがある（例えば、特許文献１参照）。
【０００５】
【特許文献１】
特開２０００−１３９８１９号公報（第１４−１５頁、図１７）
【０００６】
【発明が解決しようとする課題】
しかしながら、このような従来のオートクレーブ滅菌可能な内視鏡では、電気接点を有するリモートスイッチのスイッチ手段が気密ユニット外にあると、スイッチ手段の電気接点部が蒸気にさらされ、部品の劣化や腐食を生じ、スイッチ手段が動作しにくくなったり、動作不能になるおそれがあり、比較的早い時期に部品交換や修理が必要になっていた。
【０００７】
本発明は、上記事情に鑑みてなされたものであり、オートクレーブ滅菌の際に、リモートスイッチのスイッチ手段の劣化を防止できるオートクレーブ滅菌可能な医療機器用操作機構を提供することを目的としている。
【０００８】
【課題を解決するための手段】
前記目的を達成するため請求項１に記載の医療機器用操作機構は、所定の機能動作を指示可能なスイッチ手段と、前記スイッチ手段を気密に収納可能な気密ユニットと、前記気密ユニットの内部に設けられ、前記スイッチ手段を操作する位置と操作しない位置との間で移動自在な移動部材と、前記移動部材を前記操作しない位置に直接または間接的に付勢する付勢手段と、前記気密ユニットの外部に設けられ、操作者が操作可能な操作部材と、前記操作部材に応じて、前記付勢手段に抗して前記移動部材を前記操作する位置に移動するための磁力を前記気密ユニットの外部から内部へ伝達可能な磁力伝達手段と、を具備したことを特徴とする。
【０００９】
【発明の実施の形態】
以下、本発明の実施の形態を図面を参照して説明する。
（第１の実施の形態）
図１乃至図６は本発明の第１の実施の形態に係り、図１は本実施の形態の内視鏡装置全体の側面図、図２は内視鏡撮像装置の断面図、図３はスイッチ操作前のリモートスイッチを示す断面図、図４はスイッチ操作中のリモートスイッチを示す断面図、図５はスイッチ操作前のフォトインタラプタを示す平面図、図６はスイッチ操作中のフォトインタラプタを示す平面図である。
【００１０】
（構成）
図１に示すように、内視鏡装置１は、内視鏡２と、内視鏡撮像装置３と、光源装置４と、ビデオプロセッサ５と、モニタ６とを含んで構成される。
【００１１】
内視鏡撮像装置３は、内視鏡２に着脱自在に装着される。光源装置４は、内視鏡２に照明光を供給する。ビデオプロセッサ５は、内視鏡撮像装置３に対する信号処理を行う。モニタ６は、ビデオプロセッサ５から出力される映像信号を表示する。
【００１２】
内視鏡２は、挿入部２１と、接眼部２２と、口金２３とを有している。この場合、接眼部２２は、挿入部２１の後端に形成されている。口金２３は、内視鏡２の側部に設けている。この口金２３にはライトガイドケーブル２４の一端が接続されている。このライトガイドケーブル２４の他端にはコネクタ２５が設けられている。コネクタ２５は光源装置４に着脱自在で接続する事が出来る。
【００１３】
内視鏡２内には、図示しないライトガイドとリレー光学系が設けられている。挿入部２１の先端部２６には、図示しない照明窓と接眼レンズが設けられている。接眼部２２には、図示しない接眼レンズが設けられている。
【００１４】
接眼部２２には、内視鏡撮像装置３が着脱自在で装着される。この内視鏡撮像装置３は、撮像素子として、図２に示す固体撮像素子４６を内蔵している。図１に示すように、内視鏡撮像装置３からはカメラケーブル１１が延出している。カメラケーブル１１の先端には、プラグ１２が設けられている。ビデオプロセッサ５は、レセプタクル１３が設けられている。レセプタクル１３は、プラグ１２と着脱自在に設けられている。
【００１５】
内視鏡装置１は、ライトガイドケーブル２４のコネクタ２５を光源装置４に接続する事によって、光源装置４内の図示しないランプによる白色光がライトガイドケーブル２４の端面に照射される。このライトガイドケーブル２４により伝送された照明光は、内視鏡２内のライトガイドに供給される。内視鏡２内のライトガイドに供給された照明光は、挿入部２１の先端部２６の照明窓から前方に出射され、被写体を照明する。
【００１６】
前記照明光により照明された被写体の光学像は、先端部２６の対物レンズによって結像される。先端部２６の対物レンズによって結像された光学像は、リレー光学系により接眼部２２側に伝送され、図示しない接眼レンズを介して観察出来るようになっている。
【００１７】
接眼部２２に伝送された光学像は、内視鏡撮像装置３の図２に示す固体撮像素子４６で撮像される。
【００１８】
固体撮像素子４６で撮像された内視鏡像は、図１に示すように、内視鏡撮像装置３から延出されたカメラケーブル１１及びプラグ１２を介してビデオプロセッサ５に伝送される。
【００１９】
次に、図２を用いて、内視鏡撮像装置３の具体的な構成を説明する。
図２に示すように、内視鏡撮像装置３は、スコープマウント３１と、外装３２と、フォーカス調整部３３と、気密ユニット３４と、リモートスイッチ３５と、カメラケーブル１１と、図１に示したプラグ１２とを含んで構成される。
【００２０】
スコープマウント３１は、図１に示した内視鏡２の接眼部２２を着脱可能に形成されている。
【００２１】
図２に示すように、リモートスイッチ３５は、操作者が操作可能な操作機構となっている。
【００２２】
気密ユニット３４は、気密ユニット本体４１の一端をカバーガラス４２で接合し、気密ユニット本体４１の他端をハーメチックコネクタ４３で接合した構造になっている。これにより気密ユニット３４は、内部が完全気密になっている。
【００２３】
気密ユニット３４内部には、光学系４４と、レンズ枠４５と、固体撮像素子４６と、固体撮像素子枠４７と、信号伝送手段４８と、フォトインタラプタ４９と、移動部材５０とが設けられている。
【００２４】
光学系４４は、カバーガラス４２の後側に設けられ、図１に示した内視鏡２の接眼部２２からの内視鏡像を伝送する。図２に示すように、レンズ枠４５は、この光学系４４を保持し、気密ユニット本体４１の内周に接した状態で、光学系４４の光軸方向に移動可能に設けられている。
【００２５】
固体撮像素子４６は、固体撮像素子枠４７の先端側に保持されている。固体撮像素子枠４７は、レンズ枠４５の後側に、気密ユニット本体４１の内周に固定した状態で設けられている。
【００２６】
固体撮像素子４６は、例えば電荷結合素子（ＣＣＤ）で構成され、光学系４４で伝送された内視鏡像を撮像する。
【００２７】
固体撮像素子４６で光電変換された電気信号は信号伝送手段４８を介してハーメチックコネクタ４３に伝送される。信号伝送手段４８は、例えばフレキシブル基板などで構成されている。
【００２８】
フォトインタラプタ４９は、スイッチ手段となっている。移動部材５０は、図５及び図６で後述するフォトインタラプタ４９の発光部７１と受光部７２の間を進退自在に設けられている。
【００２９】
レンズ枠４５の外周の一部には、レンズ枠用磁石５１が設けられている。また、レンズ枠４５の外周は気密ユニット本体４１の内周に摺動可能な状態で接している。
【００３０】
フォーカス調整部３３は、フォーカスリング５２と、移動部５３とから構成される。
【００３１】
フォーカスリング５２は、外装３２に回転可能な状態で設けられている。また、フォーカスリング５２外周は、外装３２から露出している。
【００３２】
移動部５３は、リング状に形成され、フォーカスリング５２の内側に設けられている。移動部５３は、気密ユニット本体４１の前側に装着されている。
【００３３】
移動部５３の内周の一部には、フォーカス用磁石５４が設けられている。
フォーカスリング５２と移動部５３の間には、図示しないカム機構などが設けられており、フォーカスリング５２を回すことで移動部５３が光軸方向に移動する。移動部５３が移動するとフォーカス用磁石５４とレンズ枠用磁石５１の磁気的連結力によつてレンズ枠４５も移動する。これにより光学系４４のフォーカス調整が行える。
【００３４】
また、フォーカスリング５２は、図示しないＯリングなどにより、不用意には回転しないようになっている。
【００３５】
リモートスイッチ３５は、フォトインタラプタ４９と、移動部材５０と、操作部６１と、固定部材６２と、操作部用磁石６３と、移動部材用磁石６４と、付勢手段６５と、フォトインタラプタ用ハーネス６６とから構成されている。
【００３６】
外装３２の側面には開口部３６が形成されている。開口部３６には操作部６１が挿入されている。
【００３７】
操作部６１は、例えばゴムなど弾性のある材質を押し釦状に形成したものである。固定部材６２は、操作部６１が脱落しないように外装３２に固定している。
【００３８】
操作部用磁石６３は、操作部６１の裏側に一体的に設けられている。移動部材５０は、気密ユニット３４の内部に設けられている。移動部材用磁石６４は、移動部材５０の操作部用磁石６３と向き合う側に一体的に設けられている。
【００３９】
付勢手段６５は、例えばコイルバネなどで形成され、一端が移動部材５０に固定され、この移動部材５０をフォトインタラプタ４９と離反する方向に付勢する。フォトインタラプタ用ハーネス６６は、フォトインタラプタ４９に設けられ、フォトインタラプタ４９の検出結果を出力するようになっている。
【００４０】
付勢手段６５の他端は固体撮像素子枠４７のフランジ部６７に固定されている。しなしながら、付勢手段６５の固定は固体撮像素子枠４７に限らず、例えば気密ユニット本体４１などのように、可動部以外に固定されていれば良い。
【００４１】
フォトインタラプタ用ハーネス６６は、固体撮像素子枠４７の透孔を通ってハーメチックコネクタ４３の接点ピン６８に接続されている。
【００４２】
なお、図１のビデオプロセッサ５は、フォトインタラプタ４９の出力に応じて、内視鏡像の明るさを調整する、内視鏡像をフリーズするなどの各種機能を割り付け／リモートコントロール可能になっている。また、リモートスイッチ３５の数は１個に限定されるものではなく、複数個あっても良い。
【００４３】
このような構造により、フォトインタラプタ４９は、所定の機能動作を指示可能なスイッチ手段となっている。
【００４４】
気密ユニット３４は、前記スイッチ手段を気密に収納可能になっている。
移動部材５０は、前記気密ユニット３４の内部に設けられ、前記スイッチ手段を操作する位置と操作しない位置との間で移動自在になっている。
【００４５】
付勢手段６５は、前記移動部材５０を前記操作しない位置に直接的に付勢している。
【００４６】
操作部６１は、前記気密ユニット３４の外部に設けられ、操作者が操作可能な操作部材となっている。
【００４７】
操作部用磁石６３と移動部材用磁石６４とは、前記操作部材に応じて、前記付勢手段６５に抗して前記移動部材５０を前記操作する位置に移動するための磁力を前記気密ユニット３４の外部から内部へ伝達可能な磁力伝達手段となっている。
【００４８】
フォトインタラプタ４９、気密ユニット３４、移動部材５０、操作部６１、操作部用磁石６３及び付勢手段６５は、医療機器用操作機構となっている。
【００４９】
（作用）
次に第１の実施の形態の作用を説明する。
ここで、図２に示したリモートスイッチ３５には内視鏡像の明るさをアップさせる機能が割り付けられていることとする。
【００５０】
図１に示すように、内視鏡撮像装置３は、内視鏡２の接眼部２２に着脱自在に取り付けられ、内視鏡検査に使用される。
【００５１】
内視鏡２の内視鏡像は、図２に示すカバーガラス４２、光学系４４を通って固体撮像素子４６に伝達される。この固体撮像素子４６は、内視鏡信号を光電変換して電気信号を生成し、この電気信号は、信号伝送手段４８、ハーメチックコネクタ４３、カメラケーブル１１、図１に示すプラグ１２及びレセプタクル１３を介してビデオプロセッサ５に伝送される。
【００５２】
ビデオプロセッサ５は電気信号を映像信号に変換し、モニタ６上に内視鏡像を表示する。
【００５３】
モニタ６上の内視鏡像の焦点が合っていない場合、図２に示すフォーカスリング５２を操作してフォーカス調整をする。フォーカスリング５２を回転させると、図示しないカム機構により移動部５３が前後する。この時、フォーカス用磁石５４とレンズ枠用磁石５１の磁気的連結によりレンズ枠４５も移動部５３の動きに連動して前後し、フォーカス調整される。
【００５４】
ここで、モニタ６上の内視鏡像を明るくする場合を例にとってリモートスイッチ３５の作用を説明する。
【００５５】
図３及び図５に示すように、操作部６１を押圧していない状態では、操作部用磁石６３と移動部材用磁石６４が離れているため、付勢手段６５の弾性力により移動部材５０が紙面左側のフランジ部６７側に位置している。これにより、フォトインタラプタ４９の発光部７１と受光部７２の間には、障害物がなく、フォトインタラプタ４９の出力は移動部材５０が入り込んでいないことを示す。
【００５６】
この後、図４及び図６に示すように、操作部６１を押圧すると、操作部用磁石６３と移動部材用磁石６４が近づき、操作部用磁石６３と移動部材用磁石６４の磁気的連結力により、付勢手段６５の弾性力に抗して移動部材５０が紙面右側に移動し始める。そして、最終的にはフォトインタラプタ４９の発光部７１と受光部７２の間に移動部材５０が入り込み、遮光される。
【００５７】
これにより、フォトインタラプタ４９は、発光部７１と受光部７２の間が遮光されたことを示す信号を出力する。このフォトインタラプタ４９の信号はフォトインタラプタ用ハーネス６６、図２に示すハーメチックコネクタ４３、カメラケーブル１１、図１に示すプラグ１２及びレセプタクル１３を介してビデオプロセッサ５に伝送されて処理され、ビデオプロセッサ５は明るさを１段階アップする。
【００５８】
次に、もう一度操作部６１を押圧すると、前記と同様な作用で、再び明るさが１段階アップする。
【００５９】
（効果）
このような第１の実施の形態によれば、スイッチ手段の電気部品となるフォトインタラプタ４９を気密ユニット３４の内部に設けているので、オートクレーブ滅菌の際に、リモートスイッチのスイッチ手段の劣化を防止でき、内視鏡撮像装置３の寿命を延長することができる。
【００６０】
なお、内視鏡装置１は、特に図示しないが、内視鏡２と内視鏡撮像装置３の代わりに、細長の挿入部の先端部に撮像素子を設けた電子内視鏡として構成しても良い。
【００６１】
（第２の実施の形態）
図７及び図８は本発明の第２の実施の形態に係り、図７はスイッチ操作前のリモートスイッチを示す断面図、図８はスイッチ操作中のリモートスイッチを示す断面図である。
【００６２】
図７及び図８を用いた第２の実施の形態の説明において、図１乃至図６に示した第１の実施の形態と同様の構成要素には同一の符号を付し、詳細な説明を省略する。
【００６３】
（構成）
図７及び図８に示すように、第２の実施の形態のリモートスイッチ８１は、移動部材８２の形状を図２乃至図６に示した移動部材５０に比べて若干変更し、図２乃至図６に示したフォトインタラプタ４９の代わりに、押圧することで通電されるスイッチ８３を設け、フォトインタラプタ用ハーネス６６の代わりにスイッチ用ハーネス８４を設けている。
【００６４】
リモートスイッチ８１は、移動部材８２がスイッチ８３の上部に移動した時、スイッチ８３が押圧され、通電されるようになっている。
【００６５】
（作用）
次に第２の実施の形態の作用を説明する。
図７に示した状態から図８に示すように、操作部６１を押圧すると、操作部用磁石６３と移動部材用磁石６４の磁気的連結力により、付勢手段６５の弾性力に抗して移動部材８２が紙面右側に移動し始める。そして、最終的には移動部材８２がスイッチ８３の上部に移動し、スイッチ８３が押圧され、通電される。
【００６６】
このスイッチ８３の信号は、スイッチ用ハーネス８４、図２に示すハーメチックコネクタ４３、カメラケーブル１１、図１に示すプラグ１２及びレセプタクル１３を介してビデオプロセッサ５に伝送されて処理され、ビデオプロセッサ５は明るさを１段階アップする。
【００６７】
次に、もう一度操作部６１を押圧すると、前記と同様な作用で、再び明るさが１段階アップする。
【００６８】
（効果）
このような第２の実施の形態によれば、スイッチ手段の電気接点となるスイッチ８３を気密ユニット３４の内部に設けているので、オートクレーブ滅菌の際に、リモートスイッチのスイッチ手段の劣化を防止でき、第１の実施の形態と同様の効果が得られる。
【００６９】
（第３の実施の形態）
図９及び図１０は本発明の第３の実施の形態に係り、図９はスイッチ操作前のリモートスイッチを示す断面図、図１０はスイッチ操作中のリモートスイッチを示す断面図である。
【００７０】
図９及び図１０を用いた第３の実施の形態の説明において、図１乃至図６に示した第１の実施の形態と同様の構成要素には同一の符号を付し、詳細な説明を省略する。
【００７１】
（構成）
図９及び図１０に示すように、第３の実施の形態のリモートスイッチ９１は、操作部用磁石９２と移動部材用磁石６４を同極（例えばＮ極）にし、反発しあうようにする。外装９０は、操作部６１を挿入する開口部３６を付勢手段９３側に形成している。
【００７２】
なお、移動部材５０がフォトインタラプタ４９方向に移動するようにするために、付勢手段９３が自然長の時には、操作部用磁石９２よりも移動部材用磁石６４がフォトインタラプタ４９側になるように設けられている。
【００７３】
なお、第２の実施の形態と同様、フォトインタラプタ４９の代わりにスイッチ８３、フォトインタラプタ用ハーネス６６の代わりにスイッチ用ハーネス８４としても良い。
【００７４】
（作用）
次に第３の実施の形態の作用を説明する。
図９に示した状態から図１０に示すように、操作部６１を押圧すると、操作部用磁石９２と移動部材用磁石６４の反発力により、付勢手段９３の弾性力に抗して移動部材５０が紙面右側に移動し始める。そして、最終的には図６に示した発光部７１と受光部７２の間に移動部材５０が入り込み、遮光される。
【００７５】
フォトインタラプタ４９は、発光部７１と受光部７２の間が遮光されたことを示す信号を出力する。このフォトインタラプタ４９の信号はフォトインタラプタ用ハーネス６６、図２に示すハーメチックコネクタ４３、カメラケーブル１１、図１に示すプラグ１２及びレセプタクル１３を介してビデオプロセッサ５に伝送されて処理され、ビデオプロセッサ５は明るさを１段階アップする。
【００７６】
次に、もう一度操作部６１を押圧すると、前記と同様な作用で、再び明るさが１段階アップする。
【００７７】
（効果）
このような第３の実施の形態によれば、第１の実施の形態と同様の効果が得られる。
【００７８】
（第４の実施の形態）
図１１及び図１２は本発明の第４の実施の形態に係り、図１１はスイッチ操作前のリモートスイッチを示す断面図、図１２はスイッチ操作中のリモートスイッチを示す断面図である。
【００７９】
図１１及び図１２を用いた第４の実施の形態の説明において、図１乃至図６に示した第１の実施の形態と同様の構成要素には同一の符号を付し、詳細な説明を省略する。
【００８０】
（構成）
図１１及び図１２に示すように、第４の実施の形態のリモートスイッチ１０１では、操作部１６１に硬性の押圧部材１６３を一体的に設けている。
【００８１】
気密ユニット１３４の気密ユニット本体１４１の外側には、移動部材としての中間体１６４と、この中間体１６４と一体的に設けられた中間体用磁石１６５が設けられている。この中間体用磁石１６５と移動部材用磁石６４とは、磁力伝達手段をなしている。気密ユニット本体１４１と固体撮像素子枠１４７の隙間には、移動部材１５０とフォトインタラプタ４９が設けられている。
【００８２】
また、リモートスイッチ１０１では、例えばコイルバネなどの付勢手段１６６が設けられている。この付勢手段１６６は、一端が中間体１６４に、他端が気密ユニット本体１４１のフランジ部１６７に固定されている。
【００８３】
付勢手段１６６は、中間体用磁石１６５と移動部材用磁石６４の磁気的連結を介して、移動部材１５０がフォトインタラプタ４９と離反するように、中間体１６４を付勢している。
【００８４】
そして、操作部１６１、押圧部材１６３、中間体１６４、中間体用磁石１６５、付勢手段１６６、移動部材１５０、移動部材用磁石６４、フォトインタラプタ４９及びフォトインタラプタ用ハーネス６６は、リモートスイッチ１０１を構成している。
【００８５】
（作用）
次に第４の実施の形態の作用を説明する。
図１１に示した状態から図１２に示すように、操作部１６１を押圧すると、押圧部材１６３により中間体１６４が付勢手段１６６の弾性力に抗して移動部材１５０が紙面右側に移動し始める。このとき、中間体用磁石１６５と移動部材用磁石６４の磁気的連結により移動部材１５０も紙面右側に移動し始める。そして、最終的には図６に示した発光部７１と受光部７２の間に移動部材１５０が入り込む。
【００８６】
これにより、フォトインタラプタ４９は、発光部７１と受光部７２の間が遮光されたことを示す信号を出力する。このフォトインタラプタ４９の信号はフォトインタラプタ用ハーネス６６、図２に示すハーメチックコネクタ４３、カメラケーブル１１、図１に示すプラグ１２及びレセプタクル１３を介してビデオプロセッサ５に伝送されて処理され、ビデオプロセッサ５は明るさを１段階アップする。
【００８７】
次に、もう一度操作部１６１を押圧すると、前記と同様な作用で、再び明るさが１段階アップする。
【００８８】
（効果）
このような第４の実施の形態によれば、第１の実施の形態と同様の効果が得られる。
【００８９】
なお、ここまではストレート形状の内視鏡撮像装置について説明してきたが、本発明の医療機器用操作機構は例えば泌尿器科などでよく使われるＬ字型の内視鏡撮像装置に適用しても良い。
【００９０】
このような本発明をＬ字型の内視鏡撮像装置に適用した例について以下に説明する。
【００９１】
（第５の実施の形態）
図１３は本発明の第５の実施の形態に係る内視鏡撮像装置の断面図である。
図１３を用いた第５の実施の形態の説明において、図１乃至図６に示した第１の実施の形態と同様の構成要素には同一の符号を付し、詳細な説明を省略する。
【００９２】
（構成）
図１３に示すように、Ｌ字型の内視鏡撮像装置２０３は、スコープマウント２３１と、外装２３２と、フォーカス調整部３３と、気密ユニット２３４と、リモートスイッチ３５と、カメラケーブル１１と、図１に示したプラグ１２とを含んで構成される。
【００９３】
外装２３２は、スコープマウント２３１側が９０°折り曲げられている。
気密ユニット２３４は、カバーガラス４２と、カバーガラス枠２８１と、第１の蛇腹２８２と、プリズム枠２８３と、第２の蛇腹２８４と、気密ユニット本体２８５と、ハーメチックコネクタ４３とから構成される。
【００９４】
カバーガラス枠２８１とプリズム枠２８３の間は第１の蛇腹２８２で気密に接合される。プリズム枠２８３と気密ユニット本体２８５の間は第２の蛇腹２８４で気密に接合される。
【００９５】
また、カバーガラス枠２８１の第１の蛇腹２８２が接続されていない端面はカバーガラス４２で気密に接合される。気密ユニット本体２８５の第２の蛇腹２８４が接続されていない端面はハーメチックコネクタ４３で気密に接合されている。
【００９６】
プリズム枠２８３には例えばプリズムやダハミラーのような光路を曲げることが可能なミラー２８６が接合されている。カバーガラス４２からの内視鏡像はこのミラー２８６で略直角に曲げられ、光学系４４を介して固体撮像素子４６で撮像される。
【００９７】
また、内視鏡撮像装置２０３には、ミラー２８６の傾きなどの位置調整をするために、複数の調整ビス２８７が設けられている。この調整ビス２８７は外装２３２に設けられた雌ネジ２８８と螺合することで光軸方向に移動可能になっており、プリズム枠２８３を押圧することでミラー２８６の位置調整ができるようになっている。
【００９８】
（作用）
このような構成の第５の実施の形態において、第１の実施の形態と同様に、操作部６１を１回押圧する毎に、ビデオプロセッサ５は明るさを１段階アップする。
【００９９】
（効果）
このような第５の実施の形態によれば、Ｌ字型の内視鏡撮像装置２０３においても、第１の実施の形態と同様の効果が得られる。
【０１００】
（第６の実施の形態）
図１４は本発明の第６の実施の形態に係る内視鏡撮像装置の断面図である。
【０１０１】
図１４を用いた第６の実施の形態の説明において、図１乃至図１３に示した第１乃至第５の実施の形態と同様の構成要素には同一の符号を付し、詳細な説明を省略する。
【０１０２】
（構成）
図１４に示すように、Ｌ字型の内視鏡撮像装置３０３は、スコープマウント２３１と、外装３３２と、フォーカス調整部３３と、気密ユニット３３４と、リモートスイッチ３５と、カメラケーブル１１と、図１に示したプラグ１２とを含んで構成される。
【０１０３】
気密ユニット３３４は、カバーガラス４２と、カバーガラス枠３８１と、気密ユニット本体３４１と、ハーメチックコネクタ４３から構成されている。
【０１０４】
外装３３２と気密ユニット本体３４１は、スコープマウント２３１側が９０°折り曲げられている。
【０１０５】
カバーガラス枠３８１と気密ユニット本体３４１の間は気密に接合されている。また、カバーガラス枠３８１の気密ユニット本体３４１が接続されていない端面はカバーガラス４２で気密に接合されている。気密ユニット本体３４１のカバーガラス枠３８１が接続されていない端面はハーメチックコネクタ４３で気密に接合されている。
【０１０６】
気密ユニット本体３４１の内側にはミラー３８６と複数の調整ビス３８７と雌ネジ３８８とミラー台３８９と弾性部材３９０とが設けられている。
【０１０７】
気密ユニット本体３４１の９０°折り曲げられたコーナ部には、ミラー３８６を配置している。
【０１０８】
ミラー３８６は、ミラー台３８９に固定されている。このミラー台３８９の例えば４隅には図示しないビス挿入孔が設けられ、このビス挿入孔には複数の調整ビス３８７のねじ部が挿入されている。
【０１０９】
複数の調整ビス３８７のビス挿入孔から突出したねじ部はコイルバネなどのように弾性を有する弾性部材３９０の巻軸に挿入され、気密ユニット本体３４１に形成された雌ネジ３８８と螺合する。雌ネジ３８８は、気密ユニット本体３４１を貫通せず、気密ユニット本体３４１の側壁の途中までし形成している。
【０１１０】
気密ユニット本体３４１とミラー台３８９の間は弾性部材３９０により開く方向に付勢されている。つまり、弾性部材３９０の弾性力に抗して調整ビス３８７をねじ込むことで、ミラー３８６の角度を調整することができる。
【０１１１】
このような構造により、複数の調整ビス３８７を回転させることで、ミラー３８６の位置調整ができるようになっている。
【０１１２】
（作用）
このような構成の第６の実施の形態において、第１の実施の形態と同様に、操作部６１を１回押圧する毎に、ビデオプロセッサ５は明るさを１段階アップする。
【０１１３】
（効果）
このような第６の実施の形態によれば、Ｌ字型の内視鏡撮像装置３０３においても、第１の実施の形態と同様の効果が得られる。
【０１１４】
ところで、泌尿器科などでＬ字型の内視鏡撮像装置を使用する場合、内視鏡撮像装置を傾けて使用することが多々あり、固体撮像素子４６を回転させてモニタ６上の天地を一致させる必要があることもある。
【０１１５】
このことに対応した実施の形態を以下に説明する。
（第７の実施の形態）
図１５及び図１６は本発明の第７の実施の形態に係り、図１５は内視鏡撮像装置の断面図、図１６はプリント基板の平面図である。
【０１１６】
図１５を用いた第７の実施の形態の説明において、図１乃至図１４に示した第１乃至第６の実施の形態と同様の構成要素には同一の符号を付し、詳細な説明を省略する。
【０１１７】
（構成）
図１５に示すように、Ｌ字型の内視鏡撮像装置４０３は、固体撮像素子４６の回転機構を有する。
【０１１８】
内視鏡撮像装置４０３は、スコープマウント４３１と、外装４３２と、フォーカス調整部３３と、気密ユニット４３４と、リモートスイッチ３５と、撮像素子回転部４９０と、カメラケーブル１１と、図１に示したプラグ１２とを含んで構成される。
【０１１９】
撮像素子回転部４９０は、回転リング４９１と、回転リング用磁石４９２と、固体撮像素子枠４４７と、撮像素子枠用磁石４９３と、固体撮像素子４６と、プリント基板４９４とを含んで構成される。
【０１２０】
回転リング４９１は、固体撮像素子４６を回転させる時に操作するものであり、外装４３２から外周を露出させた状態で外装４３２に回転可能な状態で設けられている。
【０１２１】
回転リング用磁石４９２は、この回転リング４９１の内周の一部に一体的に設けられている。固体撮像素子枠４４７は、固体撮像素子４６を保持し、気密ユニット本体４４１の内周に接した状態で、光学系４４の光軸方向を中心にして回転可能に設けられている。
【０１２２】
撮像素子枠用磁石４９３は、固体撮像素子枠４４７の外周の一部と一体的に設けられ、回転リング用磁石４９２と磁気的連結をしている。プリント基板４９４は、固体撮像素子４６の後端に設けられ、固体撮像素子４６と電気的に接続されている。
【０１２３】
このプリント基板４９４には、図１６に示す同心円状で複数のパターン４９５が設けられている。
【０１２４】
図１５に示すように、コネクタ４９６には前記パターン４９５に対応した位置に接点ピン４９７が設けられ、この接点ピン４９７は例えばコイルバネなどのような弾性体４９８によりプリント基板４９４方向に付勢されている。これにより、複数の前記パターン４９５はコネクタ４９６と電気的に接続されている。
【０１２５】
また、リモートスイッチ３５の付勢手段６５の一端はコネクタ４９６に固定される。コネクタ４９６の後側には、保持筒４９９が配置されている。また、リモートスイッチ３５の移動部材５０とフォトインタラプタ４９は保持筒４９９と気密ユニット本体４４１の間に設けられている。
【０１２６】
（作用）
このような構成の第７の実施の形態において、内視鏡撮像装置４０３の回転リング４９１を回転させると、回転リング用磁石４９２と撮像素子枠用磁石４９３の磁気的連結により固体撮像素子枠４４７に固定された固体撮像素子４６及びプリント基板４９４が回転する。この時、パターン４９５が同心円状に設けられているため、どの回転位置においてもパターン４９５と接点ピン４９７は電気的に接続されており、固体撮像素子４６で撮像された内視鏡像の電気信号は、プリント基板４９４、コネクタ４９６、信号伝送手段４８、ハーメチックコネクタ４３、カメラケーブル１１、図１に示すプラグ１２及びレセプタクル１３を介してビデオプロセッサ５に伝送される。これにより、モニタ６上の内視鏡像が回転する。
【０１２７】
また、第７の実施の形態において、第１の実施の形態と同様に、操作部６１を１回押圧する毎に、ビデオプロセッサ５は明るさを１段階アップする。
【０１２８】
（効果）
このような第７の実施の形態によれば、Ｌ字型の内視鏡撮像装置４０３においても、第１の実施の形態と同様の効果が得られるとともに、回転リング４９１を回転させることでモニタ６上の内視鏡像が回転させることができる。
【０１２９】
（第８の実施の形態）
図１７乃至図１９は本発明の第８の実施の形態に係り、図１７は内視鏡撮像装置の断面図、図１８は第１の樹脂部材の斜視図、図１９は第２の樹脂部材の内部構造を示す説明図である。
【０１３０】
図１７乃至図１９を用いた第８の実施の形態の説明において、図１乃至図１６に示した第１乃至第７の実施の形態と同様の構成要素には同一の符号を付し、詳細な説明を省略する。
【０１３１】
（構成）
図１７乃至図１９に示すように、Ｌ字型の内視鏡撮像装置５０３は、固体撮像素子４６の回転機構を有する。
【０１３２】
内視鏡撮像装置５０３は、スコープマウント４３１と、外装５３２と、フォーカス調整部３３と、気密ユニット５３４と、リモートスイッチ３５と、撮像素子回転部５９０と、カメラケーブル１１と、図１に示したプラグ１２とを含んで構成される。
【０１３３】
撮像素子回転部５９０は、回転リング４９１と、回転リング用磁石４９２と、固体撮像素子枠４４７と、撮像素子枠用磁石４９３と、固体撮像素子４６と、第１の樹脂部材５９１とから構成される。
【０１３４】
第１の樹脂部材５９１は、固体撮像素子４６の後端に設けられ、固体撮像素子４６と電気的に接続されている。
【０１３５】
また、第１の樹脂部材５９１の外周には、第１の樹脂部材５９１を覆うように第２の樹脂部材５９２が設けられている。
【０１３６】
図１８に示すように、第１の樹脂部材５９１は固体撮像素子４６側から小径部５９４と大径部５９５とを有している。第１の樹脂部材５９１には小径部５９４から大径部５９５に亘って、例えば立体配線などにより長さの違う複数の第１のパターン５９６が設けられている。複数の第１のパターン５９６の先端には弾性を有し凸状の接点部５９７が設けられている。
【０１３７】
図１９に示すように、この第２の樹脂部材５９２の内面５９８には、図１８に示した接点部５９７に対応する位置に、全周に亘って第２のパターン５９９が設けられている。また、この第２の樹脂部材５９２の外面には前記第２のパターン５９９と図示しないスルーホールによって電気的に接続された図１７に示す接点ピン５９３が設けられている。接点ピン５９３には信号伝送手段４８が取り付けられている。
【０１３８】
また、付勢手段６５の一端は第２の樹脂部材５９２に固定される。また、移動部材５０とフォトインタラプタ４９は保持筒４９９と気密ユニット本体５４１の間に設けられている。
【０１３９】
（作用）
このような構成の第８の実施の形態において、内視鏡撮像装置５０３の回転リング４９１を回転させると、回転リング用磁石４９２と撮像素子枠用磁石４９３の磁気的連結により固体撮像素子枠４４７に固定された固体撮像素子４６及び第１の樹脂部材５９１が回転する。
【０１４０】
この時、第２のパターン５９９が第２の樹脂部材５９２の全周に渡って設けられているため、どの回転位置においても接点部５９７と第２のパターン５９９は電気的に接続されており、固体撮像素子４６で撮像された内視鏡像の電気信号は、第１のパターン５９６、接点部５９７、第２のパターン５９９、接点ピン５９３、信号伝送手段４８、ハーメチックコネクタ４３、カメラケーブル１１、図１に示すプラグ１２及びレセプタクル１３を介してビデオプロセッサ５に伝送される。これにより、モニタ６上の内視鏡像が回転する。
【０１４１】
また、第８の実施の形態において、第１の実施の形態と同様に、操作部６１を１回押圧する毎に、ビデオプロセッサ５は明るさを１段階アップする。
【０１４２】
（効果）
このような第８の実施の形態によれば、Ｌ字型の内視鏡撮像装置５０３においても、第７の実施の形態と同様の効果が得られる。
【０１４３】
尚、図１乃至図１９に示した医療機器用操作機構は、内視鏡撮像装置に限らず電気メスや超音波内視鏡等、各種医療機器に適用可能である。
【０１４４】
図１乃至図１９に示した医療機器用操作機構は、付勢手段が移動部材を直接付勢しているが、付勢手段と移動部材の間に連結部材を設けて、付勢手段が移動部材を間接的に付勢するように構成してもよい。
【０１４５】
［付記］
以上詳述したような本発明の前記実施の形態によれば、以下の如き構成を得ることができる。
【０１４６】
（付記項１）  所定の機能動作を指示可能なスイッチ手段と、
前記スイッチ手段を気密に収納可能な気密ユニットと、
前記気密ユニットの内部に設けられ、前記スイッチ手段を操作する位置と操作しない位置との間で移動自在な移動部材と、
前記移動部材を前記操作しない位置に直接または間接的に付勢する付勢手段と、
前記気密ユニットの外部に設けられ、操作者が操作可能な操作部材と、
前記操作部材に応じて、前記付勢手段に抗して前記移動部材を前記操作する位置に移動するための磁力を前記気密ユニットの外部から内部へ伝達可能な磁力伝達手段と、
を具備したことを特徴とする医療機器用操作機構。
【０１４７】
（付記項２）    前記スイッチ手段はフォトインタラプタであることを特徴とする付記項１に記載の医療機器用操作機構。
【０１４８】
（付記項３）    前記スイッチ手段は押圧によりオンオフするスイッチであることを特徴とする付記項１に記載の医療機器用操作機構。
【０１４９】
【発明の効果】
以上述べた様に本発明によれば、スイッチ手段の電気部品を気密ユニットの内部に設けているので、オートクレーブ滅菌の際に、リモートスイッチのスイッチ手段の劣化を防止でき、医療機器の寿命を延長することができる。
【図面の簡単な説明】
【図１】本発明の第１の実施の形態に係る内視鏡装置全体の側面図。
【図２】本発明の第１の実施の形態に係る内視鏡撮像装置の断面図。
【図３】本発明の第１の実施の形態に係るスイッチ操作前のリモートスイッチを示す断面図。
【図４】本発明の第１の実施の形態に係るスイッチ操作中のリモートスイッチを示す断面図。
【図５】本発明の第１の実施の形態に係るスイッチ操作前のフォトインタラプタを示す平面図。
【図６】本発明の第１の実施の形態に係るスイッチ操作中のフォトインタラプタを示す平面図。
【図７】本発明の第２の実施の形態に係るスイッチ操作前のリモートスイッチを示す断面図。
【図８】本発明の第２の実施の形態に係るスイッチ操作中のリモートスイッチを示す断面図。
【図９】本発明の第３の実施の形態に係るスイッチ操作前のリモートスイッチを示す断面図。
【図１０】本発明の第３の実施の形態に係るスイッチ操作中のリモートスイッチを示す断面図。
【図１１】本発明の第４の実施の形態に係るスイッチ操作前のリモートスイッチを示す断面図。
【図１２】本発明の第４の実施の形態に係るスイッチ操作中のリモートスイッチを示す断面図。
【図１３】本発明の第５の実施の形態に係る内視鏡撮像装置の断面図。
【図１４】本発明の第６の実施の形態に係る内視鏡撮像装置の断面図。
【図１５】本発明の第７の実施の形態に係る内視鏡撮像装置の断面図。
【図１６】本発明の第７の実施の形態に係るプリント基板の平面図。
【図１７】本発明の第８の実施の形態に係る内視鏡撮像装置の断面図。
【図１８】本発明の第８の実施の形態に係る第１の樹脂部材の斜視図。
【図１９】本発明の第８の実施の形態に係る第２の樹脂部材の内部構造を示す説明図。
【符号の説明】
１            …内視鏡装置
２            …内視鏡
３            …内視鏡撮像装置
４            …光源装置
５            …ビデオプロセッサ
６            …モニタ
３２            …外装
３４            …気密ユニット
３５            …リモートスイッチ
４１            …気密ユニット本体
４２            …カバーガラス
４３            …ハーメチックコネクタ
４６            …固体撮像素子
４７            …固体撮像素子枠
４８            …信号伝送手段
４９            …フォトインタラプタ
５０            …移動部材
６１            …操作部
６２            …固定部材
６３            …操作部用磁石
６４            …移動部材用磁石
６５            …付勢手段
６６            …フォトインタラプタ用ハーネス
【図１】
2004255083.tif 000003
【図２】
2004255083.tif 000004
【図３】
2004255083.tif 000005
【図４】
2004255083.tif 000006
【図５】
2004255083.tif 000007
【図６】
2004255083.tif 000008
【図７】
2004255083.tif 000009
【図８】
2004255083.tif 000010
【図９】
2004255083.tif 000011
【図１０】
2004255083.tif 000012
【図１１】
2004255083.tif 000013
【図１２】
2004255083.tif 000014
【図１３】
2004255083.tif 000015
【図１４】
2004255083.tif 000016
【図１５】
2004255083.tif 000017
【図１６】
2004255083.tif 000018
【図１７】
2004255083.tif 000019
【図１８】
2004255083.tif 000020
【図１９】
2004255083.tif 000021